(57)【要約】【課題】本発明は、個人情報端末から独立した読み取り装置を備える情報転送処理システムを提供することを目的とする。【解決手段】本発明に係る情報転送処理システムは、読み取り装置及び読み取り装置から独立した携帯式電子装置を備え、読み取り装置は、プロセッサと、バーコードや電子ラベルなどのデータ情報を読み取るデータ読み取りモジュールと、入力モジュールと、第一近距離通信モジュールと、を備え、入力モジュールは文字情報を編集でき、プロセッサはデータ情報及び文字情報を処理し、携帯式電子装置は、情報処理ユニットと、第二近距離通信ユニットと、表示ユニットと、を備え、第二近距離通信ユニットは、第一近距離通信ユニットから送信されるデータ情報及び文字情報を受信し、情報処理ユニットはデータ情報及び文字情報を表示信号に転換し、表示ユニットはデータ情報及び文字情報を表示する。【選択図】図１
2015128287.tif 000002
【特許請求の範囲】
【請求項１】
読み取り装置と、
前記読み取り装置から独立した携帯式電子装置と、
を備えてなる情報転送処理システムであって、
前記読み取り装置は、プロセッサと、前記プロセッサに電気的に接続されるデータ読み取りモジュール、入力モジュール、第一近距離通信モジュールを備え、前記データ読み取りモジュールは、バーコードや電子ラベルなどのデータ情報を読み取り、前記入力モジュールは文字情報を編集し、前記プロセッサは前記データ情報及び前記文字情報を処理し、
前記携帯式電子装置は、情報処理ユニットと、前記情報処理ユニットに電気的に接続される第二近距離通信ユニットと、表示ユニットと、を備え、前記第二近距離通信ユニットは、第一近距離通信ユニットから送信される前記データ情報及び前記文字情報を受信し、前記情報処理ユニットは、前記データ情報及び前記文字情報を表示信号に転換し、前記表示ユニットを介して前記データ情報及び前記文字情報を表示することを特徴とする情報転送処理システム。
【請求項２】
前記プロセッサは、前記データ情報及び前記文字情報を、第一無線信号及び第二無線信号にそれぞれ転換することを特徴とする請求項１に記載の情報転送処理システム。
【請求項３】
前記情報処理ユニットは、前記第一無線信号及び前記第二無線信号を、前記表示ユニットが表示可能な第一表示信号及び第二表示信号にそれぞれ転換することを特徴とする請求項２に記載の情報転送処理システム。
【請求項４】
前記第一近距離通信ユニット及び前記第二近距離通信ユニットは、ブルートゥース（登録商標）モジュールであって、前記第一無線信号及び前記第二無線信号は、ブルートゥース（登録商標）信号であることを特徴とする請求項２又は３に記載の情報転送処理システム。
【請求項５】
前記情報処理ユニットは、前記データ情報及び編集済みの前記文字情報を互いに関連させた後第三無線信号に転換し、前記携帯式電子装置は、前記第三無線信号をサーバに送信できる情報転送ユニットを更に備えることを特徴とする請求項１から４の何れか一項に記載の情報転送処理システム。
【請求項６】
前記プロセッサに電気的に接続される表示ユニットを更に備え、前記表示ユニットは、前記データ読み取りモジュールがデータ情報を読み取ったかどうかをユーザに表示することを特徴とする請求項１から５の何れか一項に記載の情報転送処理システム。
【請求項７】
前記プロセッサは、前記データ読み取りモジュールから送信されたデータ情報を受信すると、前記表示ユニットを作動させ、前記データ読み取りモジュールが前記データ情報を読み取ったことをユーザに表示すると共に、前記データ読み取りモジュールに対して前記データ情報を引き続き読み取らないように制御し、前記プロセッサは前記データ読み取りモジュールから前記データ情報を受信しない場合、前記表示ユニットを作動させず、前記データ読み取りモジュールが前記データ情報を読み取らないことをユーザに表示すると共に、前記データ読み取りモジュールに対して前記データ情報を再び読み取るよう制御することを特徴とする請求項６に記載の情報転送処理システム。
【発明の詳細な説明】
【技術分野】
【０００１】
本発明は、情報転送処理システムに関するものである。
【背景技術】
【０００２】
現在、郵便業、物流業などの業界にも、個人情報端末の利用が広がっている。従来の技術において、バーコードや電子ラベルなどのデータ情報を読み取る読み取り装置は、個人情報端末内に設置され、該個人情報端末を介することで読み取り機能が実現される。しかし、現在バーコードを読み取る技術が比較的発展していないのに対して、個人情報端末に係るハードウェアやシステムなどの技術は急速に発展している。また、読み取り装置は個人情報端末内に設置されているため、個人情報端末を交換する際、読み取り装置がまだ利用できるにもかかわらず、新しい個人情報端末の購入が必要となり、大きな浪費である。
【発明の概要】
【発明が解決しようとする課題】
【０００３】
本発明の目的は、前記問題を解決し、個人情報端末から独立した読み取り装置を備える情報転送処理システムを提供することである。
【課題を解決するための手段】
【０００４】
上記目的を達成するために、本発明に係る情報転送処理システムは、読み取り装置及び読み取り装置から独立した携帯式電子装置を備え、読み取り装置は、プロセッサと、バーコードや電子ラベルなどのデータ情報を読み取るデータ読み取りモジュールと、入力モジュールと、第一近距離通信モジュールと、を備え、入力モジュールは文字情報を編集でき、プロセッサはデータ情報及び文字情報を処理し、携帯式電子装置は、情報処理ユニットと、第二近距離通信ユニットと、表示ユニットと、を備え、第二近距離通信ユニットは、第一近距離通信ユニットから送信されるデータ情報及び文字情報を受信し、情報処理ユニットはデータ情報及び文字情報を表示信号に転換し、表示ユニットはデータ情報及び文字情報を表示する。
【発明の効果】
【０００５】
本発明に係る情報転送処理システムは、読み取り装置が携帯式電子装置内に装着されていない。従って、読み取り装置又は携帯式電子装置を取り替えなければならない場合、どちらかを取り替えるだけで情報転送処理システムは実行可能なので、コストを節約できる。
【図面の簡単な説明】
【０００６】
【図１】本発明の実施形態に係る情報転送処理システムのブロック図である。
【０００７】
図１に示したように、本発明の実施形態に係る情報転送処理システム１００は、独立した読み取り装置５０及び携帯式電子装置７０を備える。この読み取り装置５０と携帯式電子装置７０との間において、データ通信が確立される。読み取り装置５０は、バーコードや電子ラベルなどのデータ情報（例えば、郵便番号）を読み取ること及び対応する文字情報（例えば、受取人のアドレスや電話番号など)を編集することに使用される。携帯式電子装置７０は、データ情報及び文字情報を表示し且つサーバに送信する。携帯式電子装置７０は、携帯電話、個人情報端末、タブレットなどである。
【０００８】
本実施形態において、読み取り装置５０と携帯式電子装置７０との間には無線通信が確立される。読み取り装置５０は、データ読み取りモジュール５１と、入力モジュール５３と、プロセッサ５５と、第一近距離通信ユニット５７と、表示ユニット５９と、を備える。データ読み取りモジュール５１、入力モジュール５３、第一近距離通信ユニット５７及び表示ユニット５９は、プロセッサ５５に電気的に接続される。データ読み取りモジュール５１は、バーコードや電子ラベルなどのデータ情報を読み取り且つプロセッサ５５に送信する。本実施形態において、データ読み取りモジュール５１は、赤外線スキャニングヘッド、無線周波アンテナ又は赤外線スキャニングヘッド及び無線周波アンテナを共に有する装置である。入力モジュール５３は、実体キー又は仮想キーを有し、ユーザが入力する文字情報を受信し且つ該情報をプロセッサ５５に送信する。
【０００９】
プロセッサ５５は、データ情報を第一無線信号に転換し、文字情報を第二無線信号に転換する。第一近距離通信ユニット５７は、プロセッサ５５から送信された第一無線信号及び第二無線信号を受信し、且つ第一無線信号及び第二無線信号を携帯式電子装置７０に順に送信する。表示ユニット５９は、データ読み取りモジュール５１がデータを読み取ったかどうかをユーザに表示する。具体的には、プロセッサ５５は、データ読み取りモジュール５１から送信されたデータ情報を受信すると、表示ユニット５９を作動させて、データ読み取りモジュール５１がデータ情報を読み取ったことをユーザに表示すると共に、データ読み取りモジュール５１をデータ情報を引き続き読み取らないよう制御する。プロセッサ５５は、データ読み取りモジュール５１からデータ情報を受信しない場合、表示ユニット５９を作動させず、データ読み取りモジュール５１がデータ情報を読み取らないことをユーザに表示すると共に、データ読み取りモジュール５１をデータ情報を再び読み取るよう制御する。
【００１０】
本実施形態において、表示ユニット５９は、ブザー又は表示ランプである。
【００１１】
携帯式電子装置７０は、第二近距離通信ユニット７１と、情報処理ユニット７３と、表示ユニット７５と、情報転送ユニット７７と、を備える。第二近距離通信ユニット７１、表示ユニット７５及び情報転送ユニット７７は、情報処理ユニット７３に電気的に接続される。第二近距離通信ユニット７１は、第一近距離通信ユニット５７から送信される第一無線信号及び第二無線信号を受信する。情報処理ユニット７３は、第一無線信号及び第二無線信号を、第一表示信号及び第二表示信号にそれぞれ転換する。表示ユニット７５は、スクリーンであり、第一表示信号に含まれるデータ情報及び第二表示信号に含まれる文字情報を表示する。これにより、ユーザは、データ情報及び編集された文字情報が正しいかどうかをチェックできる。情報処理ユニット７３は、データ情報及び編集済みの文字情報を互いに関連させ、該関連されたデータ情報及び編集済みの文字情報を共に第三無線信号に転換する。情報転送ユニット７７は、第三無線信号をサーバ(例えば、物流センターに設置されているデータ処理端末)に送信する。
【００１２】
他の実施形態において、読み取り装置５０は、有線データ通信によって携帯式電子装置７０に接続されても良い。
【００１３】
本実施形態において、第一近距離通信ユニット５７及び第二近距離通信ユニット７１は、ブルートゥース（登録商標）モジュールであって、近距離且つ低消費電力のデータ転送ができる。情報転送ユニット７７は、任意の通信方式（たとえば、第一近距離通信ユニット５７及び第二近距離通信ユニット７１において用いられる通信方式よりも長距離通信が可能な任意の通信方式）により、長距離のデータ転送ができる。第一無線信号及び第二無線信号は、ブルートゥース（登録商標）信号である。
【００１４】
他の実施形態において、第一近距離通信ユニット５７及び第二近距離通信ユニット７１は、Ｗｉ−Ｆｉ（登録商標）モジュールであっても良い。
【００１５】
情報転送処理システム１００の動作原理を以下に説明する。
【００１６】
先ず、読み取り装置５０及び携帯式電子装置７０のスイッチをそれぞれ押して、読み取り装置５０と携帯式電子装置７０との間のデータ通信を確立する。データ読み取りモジュール５１は、バーコードや電子ラベルなどのデータ情報を読み取り、プロセッサ５５は、データ情報を受信し且つ第一無線信号に転換し、第一無線信号を第一近距離通信ユニット５７を介して、携帯式電子装置７０に送信すると共に、表示ユニット７５を介してデータ情報を表示する。
【００１７】
ユーザは、表示ユニット７５に表示されたデータ情報を見て、読み取り装置５０の入力モジュール５３を介して文字情報を編集できる。プロセッサ５５は、文字情報を受信し且つ第二無線信号に転換し、該第二無線信号を第一近距離通信ユニット５７を介して、携帯式電子装置７０に送信すると共に、表示ユニット７５を介して文字情報を表示する。具体的には、入力モジュール５３が一つの文字を編集するごとに、表示ユニット７５は編集されているその文字を同時に表示する。プロセッサ５５は、文字情報を受信し且つ第一近距離通信ユニット５７を介して携帯式電子装置７０に送信するとともに、表示ユニット７５を介して文字情報を表示する。これにより、ユーザは表示ユニット７５を見て、データ情報と文字情報とが互いに対応するかどうか、文字情報が正しいかどうかをチェックできる。情報のチェックが終わると、情報処理ユニット７３は、データ情報及び文字情報を互いに関連させ且つ情報転送ユニット７７を介してサーバに送信する。
【００１８】
本発明の実施形態に係る情報転送処理システム１００は、読み取り装置５０が携帯式電子装置７０内に装着されていない。従って、読み取り装置５０又は携帯式電子装置７０を取り替えなければならない場合、どちらかを取り替えるだけで情報転送処理システム１００は実行可能なので、コストを節約できる。また、読み取り装置５０の内部に、情報を表示する表示ユニット及び情報を長距離転送するための情報転送ユニットを設置する必要が無いため、読み取り装置５０を小型化でき、携帯し易く、文字情報を編集するためにも便利である。
【符号の説明】
【００１９】
１００  情報転送処理システム
５０  読み取り装置
５１  データ読み取りモジュール
５３  入力モジュール
５５  プロセッサ
５７  第一近距離通信ユニット
５９  表示ユニット
７０  携帯式電子装置
７１  第二近距離通信ユニット
７３  情報処理ユニット
７５  表示ユニット
７７  情報転送ユニット
【図１】
2015128287.tif 000003